(57)【要約】      （修正有）【課題】消費電力の増加を抑えつつ、サービス停止状態を短縮する。【解決手段】移動通信端末ＵＥは、滞在中のセル＃Ａに対する「ＲＲＣ  Ｃｏｎｎｅｃｔｉｏｎ  Ｒｅｑｕｅｓｔ」の送信にＮ回連続して失敗し（Ｓ３０８）、ネットワークから通知されたパラメータＸを保持していると判定した場合には（Ｓ３１０）、ネットワークから通知されたパラメータＸを用いてセル選択を行うことにより（Ｓ３１１）、成功率の低いセルに対する送信電力消費を打ち切るとともに、ネットワークの推奨する選択基準で適切なセルを選択し直す。【選択図】図１０
2014220714.tif 000002
【特許請求の範囲】
【請求項１】
移動通信端末であって、
滞在中のセルに対するコネクション設定要求信号の送信に所定回数連続して失敗した場合に、ネットワークから通知された所定パラメータを用いてセル選択を行うように構成されている通信制御部を具備していることを特徴とする移動通信端末。
【請求項２】
前記通信制御部は、同一セルに対するコネクション設定要求信号の送信に所定回数連続して失敗した場合に、前記所定パラメータを用いてセル選択を行うように構成されていることを特徴とする請求項１に記載の移動通信端末。
【請求項３】
前記通信制御部は、前記セル選択における閾値判定処理において、前記所定パラメータをオフセット値として使用するように構成されていることを特徴とする請求項１又は２に記載の移動通信端末。
【請求項４】
前記所定パラメータを管理するように構成されている管理部を具備しており、
前記移動通信端末の在圏セルが変更になった場合、或いは、該移動通信端末の電源がオフになった場合、前記管理部は、前記所定パラメータを削除するように構成されていることを特徴とする請求項１乃至３のいずれか一項に記載の移動通信端末。
【請求項５】
無線アクセスネットワーク装置であって、
移動通信端末に対して、所定パラメータを送信するように構成されている通信制御部を具備しており、
前記所定パラメータは、前記移動通信端末に対して、滞在中のセルに対するコネクション設定要求信号の送信に所定回数連続して失敗した場合に、該所定パラメータを用いてセル選択を行うように指示するように構成されていることを特徴とする無線アクセスネットワーク装置。
【請求項６】
前記通信制御部は、報知情報によって、前記所定パラメータを送信するように構成されていることを特徴とする請求項５に記載の無線アクセスネットワーク装置。
【請求項７】
前記通信制御部は、判定条件が満たされた場合にのみ、前記所定パラメータを送信するように構成されていることを特徴とする請求項５又は６に記載の無線アクセスネットワーク装置。
【請求項８】
定期的に、前記判定条件が満たされたか否かについて判定するように構成されている判定部を具備することを特徴とする請求項７に記載の無線アクセスネットワーク装置。
【発明の詳細な説明】
【技術分野】
【０００１】
本発明は、移動通信端末及び無線アクセスネットワーク装置に関する。
【背景技術】
【０００２】
３ＧＰＰの仕様において、ＲＲＣコネクションの確立手順について規定されている。本手順は、移動通信端末がネットワークと通信を開始する際に必要な接続を確立するための手順である。
【０００３】
ＵＴＲＡＮ（Ｕｎｉｖｅｒｓａｌ  Ｔｅｒｒｅｓｔｒｉａｌ  Ｒａｄｉｏ  Ａｃｃｅｓｓ  Ｎｅｔｗｏｒｋ）では、移動通信端末ＵＥは、任意のセルに滞在中において通信を開始する場合、無線アクセスネットワーク装置ＲＡＮに対して「ＲＲＣ  Ｃｏｎｎｅｃｔｉｏｎ  Ｒｅｑｕｅｓｔ」を送信し、ＲＲＣコネクションの確立を要求するように構成されている。
【０００４】
ここで、移動通信端末ＵＥは、「ＲＲＣ  Ｃｏｎｎｅｃｔｉｏｎ  Ｒｅｑｕｅｓｔ」の送信時に、変数であるＶ３００を１だけ増加させる。
【０００５】
なお、移動通信端末ＵＥは、「ＲＲＣ  Ｃｏｎｎｅｃｔｉｏｎ  Ｒｅｑｕｅｓｔ」の送信に失敗する場合を考慮して、タイマーＴ３００を管理している。
【０００６】
移動通信端末ＵＥは、かかるタイマーＴ３００が満了した場合に、無線アクセスネットワーク装置ＲＡＮから通知されるＮ３００とＶ３００を比較し、Ｖ３００＞Ｎ３００の場合は、かかる手順を終了する。
【０００７】
一方、Ｅ-ＵＴＲＡＮにおいても、類似の仕様が規定されている。移動通信端末ＵＥは、「ＲＲＣ  Ｃｏｎｎｅｃｔｉｏｎ  Ｒｅｑｕｅｓｔ」に対する無線アクセスネットワーク装置ＲＡＮからの応答がなかった場合のタイマーＴ３００が満了した場合、かかる手順を終了する。
【０００８】
Ｅ-ＵＴＲＡＮにおける手順は、Ｖ３００とＮ３００との比較がないという点で、ＵＴＲＡＮにおける手順と相違する。
【０００９】
ここで、タイマーＴ３００及びＮ３００は、いずれも無線アクセスネットワーク装置から、報知情報として通知される。
【００１０】
図１４に、ＵＴＲＡＮにおけるＲＲＣコネクションの確立手順において無線アクセスネットワーク装置からの応答がなかった場合のシーケンスを示し、図１５に、Ｅ-ＵＴＡＲＮにおけるＲＲＣコネクションの確立手順において無線アクセスネットワーク装置からの応答がなかった場合のシーケンスを示す。
【００１１】
第１に、図１４を参照して、ＵＴＲＡＮにおけるＲＲＣコネクションの確立手順において無線アクセスネットワーク装置からの応答がなかった場合のシーケンスについて説明する。
【００１２】
図１４に示すように、ステップＳ１００１において、ＲＲＣ_ＩＤＬＥ状態の移動通信端末ＵＥは、滞在しているセルを管理する無線アクセスネットワークＵＴＲＡＮから、報知情報によって、「ＲＲＣ  Ｃｏｎｎｅｃｔｉｏｎ  Ｒｅｑｕｅｓｔ」の再送管理を行うためのタイマーＴ３００及び再送回数Ｎ３００を受信して保持する。
【００１３】
ステップＳ１００２において、かかる移動通信端末ＵＥは、ＲＲＣコネクションが確立されていない状態から、パケット通信若しくは音声通信等の開始を試みる。
【００１４】
ステップＳ１００３において、かかる移動通信端末ＵＥは、無線アクセスネットワークＵＴＲＡＮに対して「ＲＲＣ  Ｃｏｎｎｅｃｔｉｏｎ  Ｒｅｑｕｅｓｔ」を送信し、タイマーＴ３００を開始する。
【００１５】
移動通信端末ＵＥは、ステップＳ１００４において、タイマーＴ３００が満了すると、ステップＳ１００５において、Ｖ３００を１だけ増加させ、ステップＳ１００６において、Ｖ３００とＮ３００とを比較する。
【００１６】
Ｖ３００がＮ３００以下である場合、移動通信端末ＵＥは、無線アクセスネットワークＵＴＲＡＮに対して「ＲＲＣ  Ｃｏｎｎｅｃｔｉｏｎ  Ｒｅｑｕｅｓｔ」を再度送信し、ステップＳ１００３〜Ｓ１００６の手順を繰り返す。
【００１７】
一方、Ｖ３００がＮ３００よりも大きい場合、移動通信端末ＵＥは、ＲＲＣコネクションの確立手順が失敗したものとみなし、処理を終了する。
【００１８】
その後、移動通信端末ＵＥは、再度、パケット通信若しくは音声通信等の開始が必要な場合には、ステップＳ１００２以降の手順を繰り返す。
【００１９】
第２に、図１５を参照して、Ｅ-ＵＴＡＲＮにおけるＲＲＣコネクションの確立手順において無線アクセスネットワーク装置からの応答がなかった場合のシーケンスについて説明する。
【００２０】
図１５に示すように、ステップＳ２００１において、ＲＲＣ_ＩＤＬＥ状態の移動通信端末ＵＥは、滞在しているセルを管理する無線アクセスネットワークＥ-ＵＴＲＡＮから、報知情報によって、「ＲＲＣ  Ｃｏｎｎｅｃｔｉｏｎ  Ｒｅｑｕｅｓｔ」の再送管理を行うためのタイマーＴ３００を受信して保持する。
【００２１】
ステップＳ２００２において、かかる移動通信端末ＵＥは、ＲＲＣコネクションが確立されていない状態から、パケット通信若しくは音声通信等の開始を試みる。
【００２２】
ステップＳ２００３において、かかる移動通信端末ＵＥは、無線アクセスネットワークＥ-ＵＴＲＡＮに対して「ＲＲＣ  Ｃｏｎｎｅｃｔｉｏｎ  Ｒｅｑｕｅｓｔ」を送信し、タイマーＴ３００を開始する。
【００２３】
移動通信端末ＵＥは、ステップＳ２００４において、タイマーＴ３００が満了すると、ステップＳ２００５において、ＲＲＣコネクションの確立手順が失敗したものとみなし、処理を終了する。
【００２４】
その後、移動通信端末ＵＥは、再度、パケット通信若しくは音声通信等の開始が必要な場合には、ステップＳ２００２以降の手順を繰り返す。
【先行技術文献】
【特許文献】
【００２５】
【特許文献１】特願平６-１０４８３１
【特許文献２】特開２００９-２９６５３５号公報
【特許文献３】特開２０１２-０４９８７７号公報
【発明の概要】
【発明が解決しようとする課題】
【００２６】
ここで、何らかの理由で、例えば、図１６に示すように、移動通信端末ＵＥが、下り信号の受信電力は十分あるが、上り信号が届かないようなセルに在圏してした場合や、無線アクセスネットワークが輻輳していて応答を返せない場合等で、「ＲＲＣ  Ｃｏｎｎｅｃｔｉｏｎ  Ｒｅｑｕｅｓｔ」に対して無線アクセスネットワークからの応答が得られないケースがある。
【００２７】
具体的な例としては、移動通信端末ＵＥが、沿岸部に滞在中である場合において、物理的に近距離にある無線基地局＃Ａからの電波ではなく、対岸部の無線基地局＃Ｂからの下り信号の受信電力が強いような場合において、無線基地局＃Ｂ配下のセルに在圏するケースが想定される。
【００２８】
このようなケースにおいて、移動通信端末ＵＥが、引き続き同じセルに対して「ＲＲＣ  Ｃｏｎｎｅｃｔｉｏｎ  Ｒｅｑｕｅｓｔ」を送信しても、無線アクセスネットワークから応答を得られない場合がある。
【００２９】
このような場合、利用者は、サービスを受けられない状況が継続してしまう問題点があった。
【００３０】
また、移動通信端末ＵＥとしても、不必要に「ＲＲＣ  Ｃｏｎｎｅｃｔｉｏｎ  Ｒｅｑｕｅｓｔ」の送信を継続するので、消費電力が増加してしまうといった問題点があった。
【００３１】
そこで、本発明は、上述の課題に鑑みてなされたものであり、消費電力の増加を抑えつつ、サービス停止状態を短縮することができる移動通信端末及び無線アクセスネットワーク装置を提供することを目的とする。
【課題を解決するための手段】
【００３２】
本発明の第１の特徴は、移動通信端末であって、滞在中のセルに対するコネクション設定要求信号の送信に所定回数連続して失敗した場合に、ネットワークから通知された所定パラメータを用いてセル選択を行うように構成されている通信制御部を具備していることを要旨とする。
【００３３】
本発明の第２の特徴は、無線アクセスネットワーク装置であって、移動通信端末に対して、所定パラメータを送信するように構成されている通信制御部を具備しており、前記所定パラメータは、前記移動通信端末に対して、滞在中のセルに対するコネクション設定要求信号の送信に所定回数連続して失敗した場合に、該所定パラメータを用いてセル選択を行うように指示するように構成されていることを要旨とする。
【発明の効果】
【００３４】
以上説明したように、本発明によれば、消費電力の増加を抑えつつ、サービス停止状態を短縮することができる移動通信端末及び無線アクセスネットワーク装置を提供することができる。
【図面の簡単な説明】
【００３５】
【図１】本発明の第１の実施形態に係る移動通信システムの全体構成図である。
【図２】本発明の第１の実施形態に係る移動通信端末の機能ブロック図である。
【図３】本発明の第１の実施形態に係る移動通信端末の管理部によって管理されるパラメータＸの一例を示す図である。
【図４】本発明の第１の実施形態に係る移動通信端末の通信制御部によって行われるセル選択における閾値判定処理の一例を示す図である。
【図５】本発明の第１の実施形態に係る無線アクセスネットワーク装置の機能ブロック図である。
【図６】本発明の第１の実施形態に係る無線アクセスネットワーク装置の判定部によって用いられる判定条件の一例を示す図である。
【図７】本発明の第１の実施形態に係る無線アクセスネットワーク装置の判定部によって判定が行われる周期の一例を示す図である。
【図８】本発明の第１の実施形態に係る移動通信端末の動作を示すフローチャートである。
【図９】本発明の第１の実施形態に係る移動通信端末の動作を示すフローチャートである。
【図１０】本発明の第１の実施形態に係る移動通信端末の動作を示すフローチャートである。
【図１１】本発明の第１の実施形態に係る移動通信端末の動作を示すフローチャートである。
【図１２】本発明の第１の実施形態に係る移動通信端末の動作を示すフローチャートである。
【図１３】本発明の第１の実施形態に係る無線アクセスネットワーク装置の動作を示すフローチャートである。
【図１４】従来技術を説明するための図である。
【図１５】従来技術を説明するための図である。
【図１６】従来技術を説明するための図である。
【発明を実施するための形態】
【００３６】
（本発明の第１の実施形態に係る移動通信システム）
図１乃至図１３を参照して、本発明の第１の実施形態に係る移動通信システムについて説明する。本実施形態では、本実施形態に係る移動通信システムとして、ＷＣＤＭＡ方式やＬＴＥ方式の移動通信システムを例示して説明するが、本発明は、ＷＣＤＭＡ方式やＬＴＥ方式以外の移動通信システムにも適用可能である。
【００３７】
図１に示すように、本実施形態に係る移動通信システムは、無線アクセスネットワーク装置ＲＡＮと、移動通信端末ＵＥとを具備している。
【００３８】
ここで、ＷＣＤＭＡ方式の無線アクセスネットワーク装置ＲＡＮは、無線回線制御局ＲＮＣであり、ＬＴＥ方式の無線アクセスネットワーク装置ＲＡＮは、無線基地局ｅＮＢである。
【００３９】
図２に示すように、本実施形態に係る移動通信端末ＵＥは、通信制御部１１と、管理部１２と、判定部１３とを具備している。
【００４０】
通信制御部１１は、移動通信端末ＵＥにおける各種制御、例えば、通信制御全般を処理するように構成されている。
【００４１】
管理部１２は、ネットワークから通知されたパラメータＸ等を管理するように構成されている。
【００４２】
図３に示すように、例えば、管理部１２は、パラメータＸとして、「受信レベル用ｏｆｆｓｅｔ」や「品質用ｏｆｆｓｅｔ」や「ＵＬ最大送信電力ｏｆｆｓｅｔ」等を管理するように構成されている。
【００４３】
判定部１３は、滞在中のセルに対する「ＲＲＣ  Ｃｏｎｎｅｃｔｉｏｎ  Ｒｅｑｕｅｓｔ」の送信にＮ回連続して失敗したか否かについて判定するように構成されている。
【００４４】
例えば、判定部１３は、滞在中の同一のセルに対する「ＲＲＣ  Ｃｏｎｎｅｃｔｉｏｎ  Ｒｅｑｕｅｓｔ」の送信にＮ回連続して失敗したか否かについて判定するように構成されていてもよい。
【００４５】
また、通信制御部１１は、滞在中のセル（或いは、滞在中の同一のセル）に対する「ＲＲＣ  Ｃｏｎｎｅｃｔｉｏｎ  Ｒｅｑｕｅｓｔ」の送信にＮ回連続して失敗した場合で、かつ、管理部１２においてパラメータＸが有効に管理されている場合に、かかるパラメータＸを用いてセル選択を行うように構成されている。
【００４６】
一方、通信制御部１１は、滞在中のセル（或いは、滞在中の同一のセル）に対する「ＲＲＣ  Ｃｏｎｎｅｃｔｉｏｎ  Ｒｅｑｕｅｓｔ」の送信にＮ回連続して失敗した場合であっても、管理部１２においてパラメータＸが有効に管理されていない場合には、既存の３ＧＰＰ標準仕様の規定に従ってセル選択を行うように構成されている。
【００４７】
例えば、ＵＴＲＡＮでは「Ｎ＝Ｎ３００×Ｍ」であり、Ｅ-ＵＲＡＮでは「Ｎ＝Ｍ」である。なお、「Ｍ」は、移動通信端末ＵＥによって固有に保有されている値であってもよいし、無線アクセスネットワーク装置ＲＡＮによって報知されるパラメータであってもよい。
【００４８】
なお、本明細書において、「セル選択」には、「Ｃｅｌｌ  Ｓｅｌｅｃｔｉｏｎ」及び「Ｃｅｌｌ  Ｒｅｓｅｌｅｃｔｉｏｎ」の双方が包含されるものとする。
【００４９】
ここで、通信制御部１１は、上述のセル選択における閾値判定処理において、上述のパラメータＸをオフセット値として使用するように構成されていてもよい。
【００５０】
具体的には、図４（ａ）に、パラメータＸを用いない場合のセル選択における閾値判定処理の一例を示し、図４（ｂ）に、パラメータＸを用いた場合のセル選択における閾値判定処理の一例を示す。
【００５１】
なお、通信制御部１１は、上述のセル選択における閾値判定処理の結果に基づいて、別のセルに移動することができるか否かについて判定する。
【００５２】
通信制御部１１は、別のセルに移動することができると判定した場合、既存の３ＧＰＰ標準仕様の規定に従って、かかる別のセルに移動するように構成されている。
【００５３】
一方、通信制御部１１は、別のセルに移動することができないと判定した場合、既存の３ＧＰＰ標準仕様の規定に従って、滞在中のセルに留まるように構成されている。
【００５４】
また、移動通信端末ＵＥの在圏セルが変更になった場合、或いは、移動通信端末ＵＥの電源がオフになった場合（すなわち、移動通信端末ＵＥの電源がオフになった後にオンになった場合）、管理部１２は、かかるパラメータＸを削除するように構成されていてもよい。
【００５５】
図７に示すように、本変更例１に係る無線アクセスネットワーク装置ＲＡＮは、通信制御部２１と、管理部２２と、判定部２３とを具備している。
【００５６】
通信制御部２１は、無線アクセスネットワーク装置ＲＡＮにおける各種制御、例えば、通信制御全般を処理するように構成されている。
【００５７】
具体的には、通信制御部２１は、移動通信端末ＵＥに対して、上述のパラメータＸを送信するように構成されている。例えば、通信制御部２１は、報知情報によって、かかるパラメータＸを送信するように構成されていてもよい。
【００５８】
管理部２２は、移動通信端末ＵＥに対して通知するパラメータＸ等を管理するように構成されている。
【００５９】
判定部２３は、判定条件が満たされたか否かについて判定するように構成されている。
【００６０】
例えば、図６に示すように、かかる判定条件としては、ネットワークにおけるトラフィックが閾値Ｎを超えること、該当するセルにおける同時接続ユーザ数（同時に接続する移動局ＵＥの数）が閾値Ｍを超えること、発信完了率が閾値Ｋを下回ること等が考えられる。
【００６１】
ここで、通信制御部２１は、判定部２３によって上述の判定条件の１つ又は複数が満たされたと判定された場合にのみ、移動通信端末ＵＥに対して、かかるパラメータＸを送信するように構成されていてもよい。
【００６２】
また、判定部２３は、定期的に、判定条件が満たされたか否かについて判定するように構成されていてもよい。かかる場合、例えば、図７に示すように、判定条件利用周期タイマーＴ_ＮＷを用いて、上述の判定を行うタイミングを決定するように構成されていてもよい。
【００６３】
以下、図８乃至図１３を参照して、本実施形態に係る移動通信システムの動作について説明する。
【００６４】
第１に、図８を参照して、移動通信端末ＵＥによるパラメータＸの取得処理について説明する。
【００６５】
図８に示すように、移動通信端末ＵＥは、ステップＳ１０１において、セル＃ＡにおいてＲＲＣ_ＩＤＬＥ状態である場合に、ステップＳ１０２において、ネットワークから報知情報によってパラメータＸを受信した場合、ステップＳ１０３において、かかるパラメータＸを保持する。
【００６６】
一方、移動通信端末ＵＥは、ステップＳ１０１において、ＲＲＣ_ＩＤＬＥ状態である場合に、ステップＳ１０２において、ネットワークから報知情報によってパラメータＸを受信していない場合、ステップＳ１０４において、何も行わない。
【００６７】
第２に、図９を参照して、移動通信端末ＵＥによるパラメータＸの消去処理について説明する。
【００６８】
図９に示すように、セル＃ＡにおいてＲＲＣ_ＩＤＬＥ状態である移動通信端末ＵＥは、ステップＳ２０１において、セル＃Ａにおいて取得したパラメータＸを保持している場合に、ステップＳ２０２において、別のセル（例えば、セル＃Ｂ）に移動した場合、或いは、移動通信端末ＵＥの電源がオフとなった後にオンとなった場合、ステップＳ２０３において、かかるパラメータＸを無効と判断して消去する。
【００６９】
一方、セル＃ＡにおいてＲＲＣ_ＩＤＬＥ状態である移動通信端末ＵＥは、ステップＳ２０１において、セル＃Ａにおいて取得したパラメータＸを保持している場合に、ステップＳ２０２において、別のセル（例えば、セル＃Ｂ）に移動せず、また、移動通信端末ＵＥの電源がオフとなっていない場合、ステップＳ２０４において、何も行わない。
【００７０】
第３に、図１０を参照して、移動通信端末ＵＥがＲＲＣコネクションを確立するための処理について説明する。
【００７１】
図１０に示すように、移動通信端末ＵＥは、ステップＳ３０１において、セル＃Ａにおいて音声通信又はパケット通信を行う場合、ステップＳ３０２において、セル＃Ａに対して「ＲＲＣ  Ｃｏｎｎｅｃｔｉｏｎ  Ｒｅｑｕｅｓｔ」を送信する。
【００７２】
移動通信端末ＵＥは、ステップＳ３０３において、ネットワークから、かかる「ＲＲＣ  Ｃｏｎｎｅｃｔｉｏｎ  Ｒｅｑｕｅｓｔ」に対する応答を受信した場合、ステップＳ３０４において、ＲＲＣコネクション確立手順を継続する。
【００７３】
一方、移動通信端末ＵＥは、ステップＳ３０３において、ネットワークから、かかる「ＲＲＣ  Ｃｏｎｎｅｃｔｉｏｎ  Ｒｅｑｕｅｓｔ」に対する応答を受信しない場合、ステップＳ３０４において、タイマーＴ３００が満了した場合、ステップＳ３０６において、Ｖ３００を１だけ増加させる。
【００７４】
移動通信端末ＵＥは、ステップＳ３０７において、Ｖ３００がＮ３００を超えると判断した場合、ステップＳ３０２の手順を行う。
【００７５】
一方、移動通信端末ＵＥは、ステップＳ３０７において、Ｖ３００がＮ３００以下であると判断した場合、ステップＳ３０８の手順を行う。
【００７６】
移動通信端末ＵＥは、Ｎ回連続して「ＲＲＣ  Ｃｏｎｎｅｃｔｉｏｎ  Ｒｅｑｕｅｓｔ」に対する応答を受信しない状況であるか否かについて判定する。
【００７７】
移動通信端末ＵＥは、Ｎ回連続して「ＲＲＣ  Ｃｏｎｎｅｃｔｉｏｎ  Ｒｅｑｕｅｓｔ」に対する応答を受信しない状況ではないと判断した場合、ステップＳ３０９において、ＲＲＣコネクション確立手順を終了する。
【００７８】
一方、移動通信端末ＵＥは、Ｎ回連続して「ＲＲＣ  Ｃｏｎｎｅｃｔｉｏｎ  Ｒｅｑｕｅｓｔ」に対する応答を受信しない状況であると判断した場合、ステップＳ３１０において、有効なパラメータＸを保持しているか否かについて判定する。
【００７９】
移動通信端末ＵＥは、有効なパラメータＸを保持していると判定した場合、ステップＳ３１１において、かかるパラメータＸを用いてセル選択を行う。
【００８０】
一方、移動通信端末ＵＥは、有効なパラメータＸを保持していないと判定した場合、ステップＳ３１２において、かかるパラメータＸを用いずにセル選択を行う。
【００８１】
なお、無線アクセスネットワークが、Ｅ-ＵＴＲＡＮである場合、上述のステップＳ３０６及びＳ３０７の手順は行われない。
【００８２】
第４に、図１１を参照して、移動通信端末ＵＥがパラメータＸを用いてセル選択を行う処理について説明する。
【００８３】
図１１に示すように、移動通信端末ＵＥは、ステップＳ４０１において、セル選択における閾値判定処理において、パラメータＸをオフセット値として利用し、ステップＳ４０２において、かかる閾値判定処理の結果に基づいてセル選択を行う。
【００８４】
移動通信端末ＵＥは、ステップＳ４０３において、移動可能なセルを検出した場合、ステップＳ４０４において、かかるセルに移動する。
【００８５】
一方、移動通信端末ＵＥは、ステップＳ４０３において、移動可能なセルを検出できなかった場合、ステップＳ４０５において、滞在中のセルに留まる。
【００８６】
第５に、図１２を参照して、移動通信端末ＵＥがパラメータＸを用いずにセル選択を行う処理について説明する。
【００８７】
図１２に示すように、ステップＳ５０１において、移動通信端末ＵＥは、既存の３ＧＰＰ標準仕様の規定に従って、セル選択を行う。
【００８８】
第６に、図１３を参照して、無線アクセスネットワーク装置ＲＡＮにおけるパラメータＸの送信処理について説明する。
【００８９】
図１３に示すように、無線アクセスネットワーク装置ＲＡＮは、ステップＳ６０１において、セル＃Ａにおける報知情報を送信する際に、ステップＳ６０２において、パラメータＸを通知するか否かについて判定する。
【００９０】
無線アクセスネットワーク装置ＲＡＮは、パラメータＸを通知しないと判定した場合、ステップＳ６０３において、セル＃Ａにおいて、パラメータＸを含まない報知情報を送信する。
【００９１】
一方、無線アクセスネットワーク装置ＲＡＮは、パラメータＸを通知すると判定した場合、ステップＳ６０４において、セル＃Ａにおいて通知すべきパラメータＸの種別を決定する。
【００９２】
無線アクセスネットワーク装置ＲＡＮは、ステップＳ６０５において、パラメータＸを通知するか否かについて決定するために判定条件を用いるか否かについて決定する。
【００９３】
無線アクセスネットワーク装置ＲＡＮは、ステップＳ６０５において、判定条件を用いないと決定した場合には、ステップＳ６０６において、無条件で、セル＃ＡにおいてパラメータＸを通知する。
【００９４】
一方、無線アクセスネットワーク装置ＲＡＮは、ステップＳ６０５において、判定条件を用いると決定した場合には、ステップＳ６０７において、定期的に判定条件が満たされているか否かについて判定するか否かについて決定する。
【００９５】
無線アクセスネットワーク装置ＲＡＮは、ステップＳ６０６において、定期的に判定条件が満たされているか否かについて判定しないと決定した場合には、ステップＳ６０８の手順を行い、ステップＳ６０６において、定期的に判定条件が満たされているか否かについて判定すると決定した場合には、ステップＳ６１１の手順を行う。
【００９６】
無線アクセスネットワーク装置ＲＡＮは、ステップＳ６０８において、判定条件が満たされるか否かについて判定する。
【００９７】
無線アクセスネットワーク装置ＲＡＮは、ステップＳ６０８において、判定条件が満たされないと判定した場合、ステップＳ６０９において、セル＃ＡにおいてパラメータＸを通知せず、ステップＳ６０８において、判定条件が満たされると判定した場合、ステップＳ６１０において、セル＃ＡにおいてパラメータＸを通知する。
【００９８】
無線アクセスネットワーク装置ＲＡＮは、ステップＳ６１１において、判定条件利用周期タイマーが満了した場合に、ステップＳ６１２において、判定条件が満たされるか否かについて判定する。
【００９９】
無線アクセスネットワーク装置ＲＡＮは、ステップＳ６１２において、判定条件が満たされないと判定した場合、ステップＳ６１３において、セル＃ＡにおいてパラメータＸを通知せず、ステップＳ６１２において、判定条件が満たされると判定した場合、ステップＳ６１４において、セル＃ＡにおいてパラメータＸを通知する。
【０１００】
本実施形態に係る移動通信システムによれば、何らかの理由で、Ｎ回連続して「ＲＲＣ  Ｃｏｎｎｅｃｔｉｏｎ  Ｒｅｑｕｅｓｔ」が無線アクセスネットワーク装置ＲＡＮに届かなかった場合、若しくは、「ＲＲＣ  Ｃｏｎｎｅｃｔｉｏｎ  Ｒｅｑｕｅｓｔ」に対する無線アクセスネットワーク装置ＲＡＮからの応答が受信されなかった場合であっても、ネットワークからパラメータＸが通知されている場合には、移動通信端末ＵＥは、かかるパラメータＸを用いてセル選択を行い、滞在中のセル以外の適切なセルにおいて通信を開始することができる。
【０１０１】
また、本実施形態に係る移動通信システムによれば、移動通信端末ＵＥは、必要以上に、滞在中のセルにおいて「ＲＲＣ  Ｃｏｎｎｅｃｔｉｏｎ  Ｒｅｑｕｅｓｔ」を送信することがなくなり移動通信端末ＵＥの消費電力の消費を軽減できる。
【０１０２】
以上に述べた本実施形態の特徴は、以下のように表現されていてもよい。
【０１０３】
本実施形態の第１の特徴は、移動通信端末ＵＥであって、滞在中のセルに対する「ＲＲＣ  Ｃｏｎｎｅｃｔｉｏｎ  Ｒｅｑｕｅｓｔ（コネクション設定要求信号）」の送信にＮ回（所定回数）連続して失敗した場合に、ネットワークから通知されたパラメータＸ（所定パラメータ）を用いてセル選択を行うように構成されている通信制御部１１を具備していることを要旨とする。
【０１０４】
かかる特徴によれば、移動通信端末ＵＥは、かかるパラメータＸを用いてセル選択を行い、滞在中のセル以外の適切なセルにおいて通信を開始することができる。
【０１０５】
また、かかる特徴によれば、移動通信端末ＵＥは、必要以上に、滞在中のセルにおいて「ＲＲＣ  Ｃｏｎｎｅｃｔｉｏｎ  Ｒｅｑｕｅｓｔ」を送信することがなくなり移動通信端末ＵＥの消費電力の消費を軽減できる。
【０１０６】
本実施形態の第１の特徴において、通信制御部１１は、同一セルに対する「ＲＲＣ  Ｃｏｎｎｅｃｔｉｏｎ  Ｒｅｑｕｅｓｔ」の送信にＮ回連続して失敗した場合に、かかるパラメータＸを用いてセル選択を行うように構成されていてもよい。
【０１０７】
かかる特徴によれば、移動通信端末ＵＥは、同一セルに対する「ＲＲＣ  Ｃｏｎｎｅｃｔｉｏｎ  Ｒｅｑｕｅｓｔ」の送信にＮ回連続して失敗した場合に限り、上述のパラメータＸを用いてセル選択を行うことで、通信状況が劣化していないセルから別のセルに移動してしまうという事態を回避することができる。
【０１０８】
本実施形態の第１の特徴において、通信制御部１１は、上述のセル選択における閾値判定処理において、上述のパラメータＸをオフセット値として使用するように構成されていてもよい。
【０１０９】
かかる特徴によれば、ＲＲＣ  Ｃｏｎｎｅｃｔｉｏｎ  Ｒｅｑｕｅｓｔ」の送信にＮ回連続して失敗したセルから別のセルへの移動を容易にすることができる。
【０１１０】
本実施形態の第１の特徴において、上述のパラメータＸを管理するように構成されている管理部１２を具備しており、移動通信端末ＵＥの在圏セルが変更になった場合、或いは、移動通信端末ＵＥの電源がオフになった場合、管理部１２は、かかるパラメータＸを削除するように構成されていてもよい。
【０１１１】
かかる特徴によれば、移動通信端末ＵＥの在圏セルが変更になった場合や、移動通信端末ＵＥの電源がオフになった場合には、移動通信端末ＵＥは、保持しているパラメータＸを利用することは適切ではないと判断して、かかるパラメータＸを削除することとができる。
【０１１２】
本実施形態の第２の特徴は、無線アクセスネットワーク装置ＲＡＮであって、  移動通信端末ＵＥに対して、パラメータＸを送信するように構成されている通信制御部２１を具備しており、かかるパラメータＸは、移動通信端末ＵＥに対して、滞在中のセルに対する「ＲＲＣ  Ｃｏｎｎｅｃｔｉｏｎ  Ｒｅｑｕｅｓｔ」の送信にＮ回連続して失敗した場合に、かかるパラメータＸを用いてセル選択を行うように指示するように構成されていることを要旨とする。
【０１１３】
かかる特徴によれば、無線アクセスネットワーク装置ＲＡＮは、移動通信端末ＵＥに対して、上述のパラメータＸを通知することができる。
【０１１４】
本実施形態の第２の特徴において、通信制御部２１は、報知情報によって、かかるパラメータＸを送信するように構成されていてもよい。
【０１１５】
かかる特徴によれば、無線アクセスネットワーク装置ＲＡＮは、効率的に、配下のセルに滞在中の移動通信端末ＵＥに対して、上述のパラメータＸを通知することができる。
【０１１６】
本実施形態の第２の特徴において、通信制御部２１は、判定条件が満たされた場合にのみ、かかるパラメータＸを送信するように構成されていてもよい。
【０１１７】
かかる特徴によれば、無線アクセスネットワーク装置ＲＡＮは、通信状況が劣化している環境下においてのみ、上述のパラメータＸを通知することができる。
【０１１８】
本実施形態の第２の特徴において、定期的に、上述の判定条件が満たされたか否かについて判定するように構成されている判定部２３を具備してもよい。
【０１１９】
かかる特徴によれば、無線アクセスネットワーク装置ＲＡＮは、定期的に、通信状況の変化について把握することができる。
【０１２０】
なお、上述の無線アクセスネットワーク装置ＲＡＮや移動通信端末ＵＥの動作は、ハードウェアによって実施されてもよいし、プロセッサによって実行されるソフトウェアモジュールによって実施されてもよいし、両者の組み合わせによって実施されてもよい。
【０１２１】
ソフトウェアモジュールは、ＲＡＭ（Ｒａｎｄｏｍ  Ａｃｃｅｓｓ  Ｍｅｍｏｒｙ）や、フラッシュメモリや、ＲＯＭ（Ｒｅａｄ  Ｏｎｌｙ  Ｍｅｍｏｒｙ）や、ＥＰＲＯＭ（Ｅｒａｓａｂｌｅ  Ｐｒｏｇｒａｍｍａｂｌｅ  ＲＯＭ）や、ＥＥＰＲＯＭ（Ｅｌｅｃｔｒｏｎｉｃａｌｌｙ  Ｅｒａｓａｂｌｅ  ａｎｄ  Ｐｒｏｇｒａｍｍａｂｌｅ  ＲＯＭ）や、レジスタや、ハードディスクや、リムーバブルディスクや、ＣＤ-ＲＯＭといった任意形式の記憶媒体内に設けられていてもよい。
【０１２２】
かかる記憶媒体は、プロセッサが当該記憶媒体に情報を読み書きできるように、当該プロセッサに接続されている。また、かかる記憶媒体は、プロセッサに集積されていてもよい。また、かかる記憶媒体及びプロセッサは、ＡＳＩＣ内に設けられていてもよい。かかるＡＳＩＣは、無線アクセスネットワーク装置ＲＡＮや移動通信端末ＵＥ内に設けられていてもよい。また、かかる記憶媒体及びプロセッサは、ディスクリートコンポーネントとして無線アクセスネットワーク装置ＲＡＮや移動通信端末ＵＥ内に設けられていてもよい。
【０１２３】
以上、上述の実施形態を用いて本発明について詳細に説明したが、当業者にとっては、本発明が本明細書中に説明した実施形態に限定されるものではないということは明らかである。本発明は、特許請求の範囲の記載により定まる本発明の趣旨及び範囲を逸脱することなく修正及び変更態様として実施することができる。従って、本明細書の記載は、例示説明を目的とするものであり、本発明に対して何ら制限的な意味を有するものではない。
【符号の説明】
【０１２４】
ＲＡＮ…無線アクセスネットワーク装置
ＵＥ…移動通信端末
１１、２１…通信制御部
１２、２２…管理部
１３、２３…判定部
【図１】
2014220714.tif 000003
【図２】
2014220714.tif 000004
【図３】
2014220714.tif 000005
【図４】
2014220714.tif 000006
【図５】
2014220714.tif 000007
【図６】
2014220714.tif 000008
【図７】
2014220714.tif 000009
【図８】
2014220714.tif 000010
【図９】
2014220714.tif 000011
【図１０】
2014220714.tif 000012
【図１１】
2014220714.tif 000013
【図１２】
2014220714.tif 000014
【図１３】
2014220714.tif 000015
【図１４】
2014220714.tif 000016
【図１５】
2014220714.tif 000017
【図１６】
2014220714.tif 000018